(57)【要約】【課題】十分かつ適度なボリュームを出すことのできるまつ毛エクステンションの装着方法を提供すること。【解決手段】まつ毛エクステンションの装着方法は、１本の上まつ毛９に対して、目から遠い側に第１人工毛１および第２人工毛２をＶ字状に装着し、上まつ毛９の目から近い側に第３人工毛３を装着する。また、平面視で、第１人工毛１と第２人工毛２との間に上まつ毛９および第３人工毛３を位置させる。また、平面視で、上まつ毛９と第３人工毛３とを重ねる。【選択図】図１
2020133017.tif 000002
【特許請求の範囲】
【請求項１】
１本のまつ毛に対して、目から遠い側に第１人工毛および第２人工毛をＶ字状に装着し、前記目から近い側に第３人工毛を装着することを特徴とするまつ毛エクステンションの装着方法。
【請求項２】
１本のまつ毛に対して、目から近い側に第１人工毛および第２人工毛をＶ字状に装着し、前記目から遠い側に第３人工毛を装着することを特徴とするまつ毛エクステンションの装着方法。
【請求項３】
前記第１人工毛および前記第２人工毛の基端部同士を重ねて装着する請求項１または２に記載のまつ毛エクステンションの装着方法。
【請求項４】
平面視で、前記第１人工毛と前記第２人工毛との間に前記まつ毛および第３人工毛を位置させる請求項１から３のいずれか一項に記載のまつ毛エクステンションの装着方法。
【請求項５】
平面視で、前記まつ毛と前記第３人工毛とを重ねる請求項１から４のいずれか一項に記載のまつ毛エクステンションの装着方法。
【発明の詳細な説明】
【技術分野】
【０００１】
本発明は、まつ毛エクステンションの装着方法に関するものである。
【背景技術】
【０００２】
例えば、特許文献１には、まつ毛エクステンションの装着方法として、まつ毛の上側に２本のまつ毛エクステンションを重ねて貼付する方法が記載されている。
【先行技術文献】
【特許文献】
【０００３】
【特許文献１】特開２０１６−１７８０５４号公報
【発明の概要】
【発明が解決しようとする課題】
【０００４】
しかしながら、特許文献１のようにまつ毛の上側に２本のまつ毛エクステンションを重ねて貼付するだけでは、十分なボリュームを出すことが困難である。
【０００５】
本発明の目的は、十分かつ適度なボリュームを出すことのできるまつ毛エクステンションの装着方法を提供することにある。
【課題を解決するための手段】
【０００６】
このような目的は、下記の本発明により達成される。
【０００７】
（１）  １本のまつ毛に対して、目から遠い側に第１人工毛および第２人工毛をＶ字状に装着し、前記目から近い側に第３人工毛を装着することを特徴とするまつ毛エクステンションの装着方法。
【０００８】
（２）  １本のまつ毛に対して、目から近い側に第１人工毛および第２人工毛をＶ字状に装着し、前記目から遠い側に第３人工毛を装着することを特徴とするまつ毛エクステンションの装着方法。
【０００９】
（３）  前記第１人工毛および前記第２人工毛の基端部同士を重ねて装着する上記（１）または（２）に記載のまつ毛エクステンションの装着方法。
【００１０】
（４）  平面視で、前記第１人工毛と前記第２人工毛との間に前記まつ毛および第３人工毛を位置させる上記（１）から（３）のいずれかに記載のまつ毛エクステンションの装着方法。
【００１１】
（５）  平面視で、前記まつ毛と前記第３人工毛とを重ねる上記（１）から（４）のいずれか一項に記載のまつ毛エクステンションの装着方法。
【図面の簡単な説明】
【００１２】
【図１】第１実施形態に係るまつ毛エクステンションの装着方法により人工毛を装着した状態を示す斜視図である。
【図２】図１に示す装着状態を上側から見た平面図である。
【図３】第２実施形態に係るまつ毛エクステンションの装着方法により人工毛を装着した状態を示す斜視図である。
【図４】図３に示す装着状態を上側から見た平面図である。
【発明を実施するための形態】
【００１３】
以下、本発明のまつ毛エクステンションの装着方法を添付図面に示す実施形態に基づいて詳細に説明する。
【００１４】
＜第１実施形態＞
図１に、第１実施形態に係るまつ毛エクステンションの装着方法により、上まつ毛９にまつ毛エクステンション用の第１人工毛１、第２人工毛２および第３人工毛３を装着した状態を示す。当該装着方法では、自まつ毛である１本の上まつ毛９に対して、その上側（目から遠い側）に第１人工毛１と第２人工毛２とが装着され、その下側（目から近い側）に第３人工毛３が装着されている。つまり、１本の上まつ毛９に合計３本の人工毛が装着されており、第１人工毛１および第２人工毛２の先端が共に上まつ毛９よりも上側に位置し、第３人工毛３の先端が上まつ毛９よりも下側に位置している。
【００１５】
また、図２に示すように、上まつ毛９を上方から見たときの平面視（以下、単に「平面視」と言う）で、第１人工毛１と第２人工毛２とがＶ字状となっており、第１人工毛１と第２人工毛２との間に、上まつ毛９および第３人工毛３が位置している。また、平面視で、上まつ毛９と第３人工毛３とが重なっている。このような配置で第１人工毛１、第２人工毛２および第３人工毛３を装着することにより、十分かつ適度なボリュームを出すことができる。
【００１６】
特に、上述したように、平面視で、第１人工毛１と第２人工毛２とで形成されたＶ字の間に上まつ毛９および第３人工毛３が位置し、また、上まつ毛９と第３人工毛３が重なっていることにより、上まつ毛９に対して、第１人工毛１、第２人工毛２および第３人工毛３を極めてバランスよく配置することができ、目をより美しく引き立てることができる。なお、図示しないが、第１人工毛１、第２人工毛２および第３人工毛３は、それぞれ、専用の接着剤を用いて上まつ毛９に装着（貼着）されている。
【００１７】
なお、第１人工毛１、第２人工毛２および第３人工毛３が上述の配置で上まつ毛９に装着されていれば、さらに第４人工毛、第５人工毛またはそれ以上の人工毛を上まつ毛９に装着してもよい。ただし、上述のように第１人工毛１、第２人工毛２および第３人工毛３だけを装着することにより、特に、十分かつ適度なボリュームを出すことができ、目をより美しく引き立てることができる。
【００１８】
ここで、第１人工毛１、第２人工毛２および第３人工毛３としては、それぞれ、特に限定されず、例えば、シングルラッシュ、フラットラッシュ等、如何なるものを用いてもよいし、第１人工毛１、第２人工毛２および第３人工毛３で異なる種類の人工毛を用いてもよい。ただし、これらの中でも、第１人工毛１、第２人工毛２および第３人工毛３としては、特に、フラットラッシュを用いることが好ましい。
【００１９】
フラットラッシュは、人工毛の基端部が扁平状に潰れており（つまり、厚さが幅よりも薄く）、シングルラッシュと比べて、人工毛の体積を抑えることができる。そのため、上まつ毛９の負担を低減することができる。また、フラットラッシュは、まつ毛への装着面に凹みが形成されているため、まつ毛との接着性が高く、より長持ちする。また、本実施形態では、第１人工毛１と第２人工毛２とが別体であるが、これらは一体形成されていてもよい。つまり、Ｖ字状に加工されている人工毛を第１人工毛１および第２人工毛２として利用してもよい。
【００２０】
また、上まつ毛９の上側に装着された第１人工毛１と第２人工毛２とは、基端部同士が重なっている。つまり、第１人工毛１が上まつ毛９の上側からその基端部に装着され、第２人工毛２が第１人工毛１の上側からその基端部に装着されている。このように、第１人工毛１と第２人工毛２の基端部同士を重ねることにより、第１人工毛１と第２人工毛２とを、より綺麗なＶ字に配置することができる。ただし、これに限定されず、第１人工毛１と第２人工毛２の基端同士は、重なっていなくてもよい。つまり、第１人工毛１および第２人工毛２が共に上まつ毛９に直接装着され、その装着箇所が上まつ毛９の長さ方向にずれていてもよい。また、第１人工毛１を上まつ毛９の側面に装着し、第２人工毛２を上まつ毛９の反対側の側面に装着してもよい。
【００２１】
まつ毛エクステンションの装着方法、つまり、第１人工毛１、第２人工毛２および第３人工毛３の装着方法としては、上述のような配置となるように第１人工毛１、第２人工毛２および第３人工毛３を装着できれば、特に限定されない。例えば、まず、上まつ毛９の下側に第３人工毛３を装着し、次に、上まつ毛９の上側に第１人工毛１および第２人工毛２を順番に装着してもよい。また、これとは逆に、まず、上まつ毛９の上側に第１人工毛１および第２人工毛２を順番に装着し、次に、上まつ毛９の下側に第３人工毛３を装着してもよい。また、まず、上まつ毛９の上側に第１人工毛１を装着し、次に、上まつ毛９の下側に第３人工毛３を装着し、最後に、上まつ毛９の上側に第２人工毛２を装着してもよい。また、第１人工毛１と第２人工毛２とをＶ字状に接着させてから、これを上まつ毛９に装着してもよい。
【００２２】
以上、まつ毛エクステンションの装着方法として、上まつ毛９に第１人工毛１、第２人工毛２および第３人工毛３を装着する場合について代表して説明したが、これに限定されず、下まつ毛に第１人工毛１、第２人工毛２および第３人工毛３を装着してもよい。この場合は、第１人工毛１、第２人工毛２および第３人工毛３の配置を、上述した配置に対して上下逆転すればよい。つまり、１本の下まつ毛の下側（目から遠い側）に第１人工毛１と第２人工毛２とをＶ字状に装着し、下まつ毛の上側（目から近い側）に第３人工毛３を装着すればよい。
【００２３】
＜第２実施形態＞
図３に、第２実施形態に係るまつ毛エクステンションの装着方法により上まつ毛９にまつ毛エクステンション用の第１人工毛１、第２人工毛２および第３人工毛３を装着した状態を示す。なお、第２実施形態は、第１人工毛１、第２人工毛２および第３人工毛３の配置を上下逆転した以外は、前述した第１実施形態と同様であるため、同様の事項については、その説明を省略する。
【００２４】
第２実施形態に係るまつ毛エクステンションの装着方法では、１本の上まつ毛９の下側（目から近い側）に第１人工毛１と第２人工毛２とが装着され、上まつ毛９の上側（目から遠い側）に第３人工毛３が装着されている。つまり、１本の上まつ毛９に合計３本の人工毛が装着され、第１人工毛１および第２人工毛２の先端が共に上まつ毛９よりも下側に位置し、第３人工毛３の先端が上まつ毛９よりも上側に位置している。また、図２に示すように、平面視で、第１人工毛１と第２人工毛２とがＶ字状となっており、第１人工毛１と第２人工毛２との間に、上まつ毛９および第３人工毛３が位置している。また、平面視で、上まつ毛９と第３人工毛３とが重なっている。このような配置で第１人工毛１、第２人工毛２および第３人工毛３を装着することにより、十分かつ適度なボリュームを出すことができる。
【００２５】
特に、上述したように、平面視で、第１人工毛１と第２人工毛２とで形成されたＶ字の間に上まつ毛９および第３人工毛３が位置し、また、上まつ毛９と第３人工毛３が重なっていることにより、上まつ毛９に対して、第１人工毛１、第２人工毛２および第３人工毛３を極めてバランスよく配置することができ、その審美性がより向上する。
【００２６】
まつ毛エクステンションの装着方法、つまり、第１人工毛１、第２人工毛２および第３人工毛３の装着方法としては、上述のような配置となるように第１人工毛１、第２人工毛２および第３人工毛３を装着できれば、特に限定されない。例えば、まず、上まつ毛９の上側に第３人工毛３を装着し、次に、上まつ毛９の下側に第１人工毛１および第２人工毛２を順番に装着してもよい。また、これとは逆に、まず、上まつ毛９の下側に第１人工毛１および第２人工毛２を順番に装着し、次に、上まつ毛９の上側に第３人工毛３を装着してもよい。また、まず、上まつ毛９の下側に第１人工毛１を装着し、次に、上まつ毛９の上側に第３人工毛３を装着し、最後に、上まつ毛９の下側に第２人工毛２を装着してもよい。また、第１人工毛１と第２人工毛２とをＶ字状に接着させてから、これを上まつ毛９に装着してもよい。
【００２７】
以上、まつ毛エクステンションの装着方法として、上まつ毛９に第１人工毛１、第２人工毛２および第３人工毛３を装着する場合について代表して説明したが、これに限定されず、下まつ毛に第１人工毛１、第２人工毛２および第３人工毛３を装着してもよい。この場合は、第１人工毛１、第２人工毛２および第３人工毛３の配置を、上述した配置に対して上下逆転すればよい。つまり、１本の下まつ毛の上側（目から近い側）に第１人工毛１と第２人工毛２とをＶ字状に装着し、下まつ毛の下側（目から遠い側）に第３人工毛３を装着すればよい。
【００２８】
以上、本発明のまつ毛エクステンションの装着方法を図示の実施形態に基づいて説明したが、本発明はこれに限定されるものではなく、各部の構成は、同様の機能を有する任意の構成のものに置換することができる。また、本発明に、他の任意の構成物が付加されていてもよい。また、前述した実施形態を適宜組み合わせてもよい。
【符号の説明】
【００２９】
１…第１人工毛
２…第２人工毛
３…第３人工毛
９…上まつ毛
【図１】
2020133017.tif 000003
【図２】
2020133017.tif 000004
【図３】
2020133017.tif 000005
【図４】
2020133017.tif 000006